(57)【要約】装置（１００，２００，３００，４００，５００）は、周囲画像光源（１１０，２１０，３１０）及び重ねられた複数の周囲画像化光導波路（１２０，２２０，３２０）を有する。周囲画像光源（１１０，２１０，３１０）は重ねられた光導波路（１２０，２２０，３２０）に光を結合するように備えられている。重ねられた光導波路（１２０，２２０，３２０）は反射性表面（１３０，２３０）に対応する周囲が層光部分を分離するように備えられている。重ねられた光導波路（１２０，２２０，３２０）は、周囲画像光部分の第１の一が周囲画像光部分の第２の一から実質的に外部に広がるように、装置（１００，２００，３００，４００，５００）から外部に広がる周囲画像光部分を与えるように備えられる。周囲画像光部分の第２の一は、周囲画像光部分の第１の一に比べて、装置（１００，２００，３００，４００，５００）により近くに投影され、より明るく反射するように投影される。
2009520334.tif 000002
【特許請求の範囲】
【請求項１】
周囲画像光源；及び
重ねられた複数の周囲画像化光導波路であって、該周囲画像光導波路は、前記重ねられた複数の周囲画像化光導波路に光を結合するように備えられ、前記重ねられた複数の周囲画像化光導波路は、対応する複数の周囲画像光部分を分離するように備えられている、周囲画像化光導波路；
を有する周囲画像化装置。
【請求項２】
請求項１に記載の周囲画像化装置であって：
前記周囲画像光源に光学的に結合された処理器であって、
コンテンツを分析し、
前記分析されたコンテンツに対して前記光を供給するように、前記周囲画像光源を制御する、
ようになっている、処理器；
を有する、周囲画像化装置。
【請求項３】
請求項１に記載の周囲画像化装置であって：
前記周囲画像光源に光学的に結合された処理器であって、
受け入れられた周囲効果スクリプトを分析し、
前記分析されたコンテンツに対して前記光を供給するように、前記周囲画像光源を制御する、
処理器；
を有する、周囲画像化装置。
【請求項４】
請求項１に記載の周囲画像化装置であって、前記重ねられた複数の周囲画像化光導波路は、前記重ねられた複数の周囲画像化光導波路の一を前記重ねられた複数の周囲画像化光導波路の他の一から光学的に分離する光学分離接合化合物により共に接合されている、周囲画像化装置。
【請求項５】
請求項１に記載の周囲画像化装置であって、前記重ねられた複数の周囲画像化光導波路は、前記重ねられた複数の周囲画像化光導波路の分離された前記複数の周囲画像光部分が、反射性表面から実質的に反射される、対応する複数の周囲画像光部分を与えるように屈折されるように、前記周囲画像光源からの末端である部分における傾斜端部を有する、周囲画像化装置。
【請求項６】
請求項５に記載の周囲画像化装置であって、前記重ねられた複数の周囲画像化光導波路は、前記反射された複数の周囲画像光部分の第１の一が前記反射された複数の周囲画像光部分の第２の一から実質的に外部に広がるように、前記装置から外部に広がる前記反射された複数の周囲画像光部分を与えるように備えられている、周囲画像化装置。
【請求項７】
請求項６に記載の周囲画像化装置であって、前記反射された複数の周囲画像光部分の第２の一は前記反射された複数の周囲画像光部分の第１の一に比べて前記装置により近接して位置していて、前記重ねられた複数の周囲画像化光導波路は、前記反射された複数の周囲画像光部分の第１の一に比べてより明るい前記反射された複数の周囲画像光部分の第２の一を与える、周囲画像化装置。
【請求項８】
請求項１に記載の周囲画像化装置であって、前記重ねられた複数の周囲画像化光導波路は、実質的に前記装置の一部を囲む周囲画像光部分を一緒に与える複数の重ねられた光導波路の一である、周囲画像化装置。
【請求項９】
請求項８に記載の周囲画像化装置であって、前記周囲画像光源は複数の周囲画像光源の一であり、前記複数の周囲画像光源の各々は、前記複数の重ねられた光導波路の対応する一に光を結合する、周囲画像化装置。
【請求項１０】
請求項１に記載の周囲画像化装置であって、前記重ねられた複数の周囲画像化光導波路は、前記装置の実質的に一方側から離れるに従って広がる、一連の３つの周囲画像光部分である、周囲画像化装置。
【請求項１１】
周囲画像光源；及び
重ねられた複数の周囲画像化光導波路であって、該周囲画像光導波路は、前記周囲画像化光導波路に光を結合するように備えられ、前記周囲画像化光導波路は、対応する周囲画像光部分を分離するように備えられている、周囲画像化光導波路；
を有するテレビ。
【請求項１２】
請求項１１に記載のテレビであって：
前記周囲画像光源に光学的に結合された処理器であって、
コンテンツを分析し、
前記分析されたコンテンツ及び前記コンテンツのレンダリングに応じて前記光を与えるように前記周囲画像光源を制御する、
ようになっている、処理器；
を有する、テレビ。
【請求項１３】
請求項１１に記載の周囲画像化装置であって：
前記周囲画像光源に光学的に結合された処理器であって、
受け入れられた周囲効果スクリプトを分析し、
前記分析された周囲効果スクリプト及び前記コンテンツのレンダリングに応じて前記光を供給するように、前記周囲画像光源を制御する、
処理器；
を有する、周囲画像化装置。
【請求項１４】
請求項１１に記載のテレビであって、前記周囲画像化光導波路は、前記屈折された周囲画像光部分の第１の一が、前記屈折された周囲画像光部分の第２の一から実質的に外部に広がるように、前記テレビから外部に広がる屈折された周囲画像光部分を与える
ように備えられている、テレビ。
【請求項１５】
請求項１４に記載のテレビであって、前記屈折された周囲画像光部分の第２の一は、前記屈折された周囲画像光部分の第１の一に比べて、前記テレビにより近接して投影され、より高い照明で投影される、テレビ。
【請求項１６】
請求項１１に記載のテレビであって、前記周囲画像化光導波路は、実質的に前記テレビの一部を囲む周囲画像光部分を一緒に与える複数の重ねられた光導波路の一である、テレビ。
【請求項１７】
請求項１６に記載のテレビであって、前記周囲画像光源は複数の周囲画像光源の一であり、前記複数の周囲画像光源の各々は、前記複数の重ねられた光導波路の対応する一に光を結合する、テレビ。
【請求項１８】
装置であって：
光源；及び
前記光源から外部に及び前記装置から戻るように光を案内し、それにより、前記装置から外部に投影する周囲照明効果を与える光学的光導波路の重なった構造体；
を有する装置。
【請求項１９】
請求項１８に記載の装置であって、前記光源は中心位置決めされている光源であり、前記の光学的光導波路の重なった構造体は、前記装置の周囲に環境の周囲照明効果を与える、装置。
【請求項２０】
請求項１８に記載の装置であって、前記光学的光導波路の重なった構造体は、前記装置の周囲に環境の周囲照明効果を与える複数の光学的光導波路の一である、装置。
【発明の詳細な説明】
【技術分野】
【０００１】
本発明は、装置から表示面に装置の外側から光を導くように備えられた層状の光導波路を用いて周囲照明効果を与える装置に関する。
【背景技術】
【０００２】
Ｋｏｎｉｎｋｌｉｊｋｅ  Ｐｈｉｌｉｐｓ  Ｅｌｅｃｔｒｏｎｉｃｓ  Ｎ．Ｖ．（Ｐｈｉｌｉｐｓ（登録商標）社）及び他の企業は、代表的な家庭用又はビジネス用アプリケーションのための映像コンテンツを改善するように周囲又は周辺照明を変化させる手段について開示してきている。映像ディスプレイ又はテレビに付加される周囲照明は、ビューアの疲労を軽減し、現実性又は経験の浅さを改善するようになっている。現在、Ｐｈｉｌｉｐｓ（登録商標）社は、周囲照明を備えたフラットパネルテレビを含むテレビの商品群を有し、テレビの周囲のフレームは、テレビを指示する又は近接している背後の壁において周囲光を投影する周囲光源を有している。更に、テレビから距離を置いている光源がまた、同様に制御されることが可能である周囲光を与えるように制御されることが可能である。
【０００３】
国際公開第２００４／００６５７０号パンフレットにおいては、色相、彩度、輝度、色、シーン変化速度、認識した文字、検出された雰囲気等の表示コンテンツの色特性に基づいて、周囲照明効果を制御するシステム及び装置について開示していて、この文献の援用により、本明細書の説明の一部を代替する。動作中、そのシステムは、受け入れたコンテンツを分析し、表示全体に亘る平均色のようなコンテンツの分布を用いることが可能であり、又は周囲照明要素を制御するように表示の境界に近接して位置付けられている表示コンテンツの部分を用いることが可能である。周囲光の特徴は、一般に、例えば、周囲照明要素の時間変化を取り除く時間平均化と共に、フレーム毎の又はフレームの群に基他の実施形態においては、周囲照明効果は、対応する周囲光スクリプトにより生成されることが可能であり、しばしば、レンダリング音声及び／又は映像コンテンツ等のレンダリングコンテンツに対して同期化される。
【０００４】
代表的な周囲照明解決方法は、生成されることが可能である色域及び／又は同時に制限されることが可能である色域に限定されている。更に、周囲光（例えば、黒色壁）を反射するオブジェクトと周囲光源との間の距離が増加するにつれて、周囲照明の強度は減少する傾向にある。
【特許文献１】国際公開第２００４／００６５７０号パンフレット
【発明の開示】
【発明が解決しようとする課題】
【０００５】
本発明の目的は、従来技術における不利点を克服する及び／又は従来技術における改善を行うことである。
【課題を解決するための手段】
【０００６】
本発明に従った、環境の周囲光を与えることが好ましい、テレビ、ホワイトボード又は何れかの他の装置のような表示面を有する装置のような装置は、周囲画像光源と、重ねられた複数の周囲画像化光導波路とを有する。周囲画像化光導波路は、反射性表面に対して対応する周囲画像光部分を分離するように備えられている。
【０００７】
その装置は、周囲画像光源に光学的に結合された処理器を有することが可能である。処理器は、コンテンツを分析し、分析されたコンテンツに応じて周囲画像光導波路に光を与えるように周囲画像光源を制御することが可能である。このように、装置により供給されるコンテンツに対して対応し且つ同期化された周囲画像光部分が備えられることが可能である。他の実施形態においては、処理器は、受け入れた周囲効果スクリプトを分析し、コンテンツのレンダリングに対する同期化において、典型的には、分析された周囲効果スクリプトに応じて光を与えるように、周囲画像光源を制御する。
【０００８】
周囲画像化光導波路は、周囲画像化光導波路の一を周囲画像化光導波路の他の一から光学的に分離する光学的分離接合化合物により共に接合されることが可能である。周囲画像化光導波路は、周囲画像光源からの末端である部分の形成端部であることが可能である。動作中、光は、光源から周囲画像光導波路に対して結合される。その結合された光は、装置の後側に近接して位置している表目に周囲画像光部分を屈折させる周囲画像化光導波路の形成端部の方に進む。その表面はまた、例えば、ユーザが視認可能であるように、その光を外部に反射する。
【０００９】
周囲画像化光導波路は、周囲画像光部分の第１の一が周囲画像光部分の第２の位置から実質的に外部に広がるように、装置から外部に広がる周囲画像光部分を与えるように備えられることが可能である。周囲画像光部分の第２の一は、周囲画像光部分の第１の一に比べて、装置により近接して投影されることが可能であり、より明るい照明を投影されることが可能である。周囲画像化光導波路は、実質的に装置の一部を囲んでいる周囲画像光部分を一緒に与える複数の重ねられた周囲画像化光導波路の一であることが可能である。一実施形態においては、周囲画像化光導波路は、２つ又はそれ以上の周囲画像光導波路、例えば、実質的に装置の一方側から離れるにつれて広がる一連の３つの周囲画像光部分を生成するように重ねられた３つの周囲画像光導波路として形成されることが可能である。
【００１０】
図は、例示としてのものであり、本発明の範囲を制限するものではないことが明確に理解される必要がある。本発明は、添付図に関連付けて十分に理解することができる。
【発明を実施するための最良の形態】
【００１１】
以下、添付図に関連付けて、上記の特徴及び有利点並びに他の特徴及び有利点を示す例示としての実施形態について詳述する。以下の説明においては、制限的でなく、説明目的で、例示として、特定のアーキテクチャ、インタフェース、技術等の具体的な詳細について記載されている。しかしながら、それらの具体的な詳細から外れている他の実施形態が同時提出の特許請求の範囲内にあるとして更に理解できることを、当業者は理解することができる。更に、明確化のために、周知の装置、回路及び方法についての詳細な説明については、本発明の説明を不明瞭にしないように省略している。
【００１２】
以下の詳細説明においては、異なる図における同様の参照番号は同様な要素を示している。
【００１３】
図１は、テレビ、ホワイトボード、又は環境の周囲光を与えることが所望される何れかの他の装置１００のような表示面を有する装置のような装置１００の一部を示している。
装置１００がテレビの表示装置である実施形態においては、その装置は、本発明の実施形態に従って、対応する周囲照明効果を与え、音響／映像コンテンツをレンダリングする。装置１００は、視線方向１５０から見るように、液晶ディスプレイ（ＬＣＤ）面、プラズマディスプレイ面、陰極線管（ＣＲＴ）ディスプレイ面、又は映像／音声コンテンツのようなコンテンツの音声部分をレンダリングする他の適切な面等の表示面を含む。装置１００は、壁、天井、床、キャンバス、専用の投影面、及び／又は本発明に従って与えられることが可能である周囲照明効果を反射する他のシステム／方法等の反射面の前に位置付けられて示されている。装置１００は、周囲照明源１１０と、ここでは、ライトエンジン１９０として集合的に呼ばれる、本発明に従った重ねられた光導波路１２０とを有する。図示しているように、ライトエンジン１９０は、装置１００の筐体１８０内に含まれるように、例示として示されている。筐体１８０は、コンテンツを受け入れ、コンテンスを処理し、コンテンツをレンダリングし、周囲照明効果を決定する等のために用いられることが可能である装置１００の他の要素を含むために利用されるキャビネットであることが可能である。
【００１４】
ライトエンジン１９０は、周囲照明効果をレンダリングするように、本発明に従って動作する。動作中、周囲照明源１１０は、所定の周囲光出力を生成するように制御される。周囲照明源１１０は、所望の周囲照明効果の照明構成要素を変調する又は反映するように用いられる、１つ又はそれ以上のＬＣＤパネル等のライトバルブを有することが可能である。周囲照明源はまた、高輝度のＬＥＤ、白色ＬＥＤ、ＲＧＢ  ＬＥＤ、赤色ＬＥＤ、青色ＬＥＤ、緑色ＬＥＤ、オレンジ色ＬＥＤ、及び重ねられた光導波路１２０に結合されることが可能である光を生成することを可能にする他の照明要素を有することが可能である。パッケージ型ＬＥＤ、非パッケージ型ＬＥＤ、表面実装型ＬＥＤ、チップオンボード型ＬＥＤ、及び他の構成のＬＥＤがまた、適切に用いられることが可能である。一実施形態においては、周囲照明源１１０は、液晶ディスプレイ（ＬＣＤ）技術、発光ダイオード（ＬＥＤ）技術、レーザ技術等に基づくビーマ（ｂｅａｍｅｒ）を有する投影装置の形式であることが可能である。他の実施形態においては、周囲照明源１１０は、十分な輝度、鮮鋭性、及び重ねられた光導波路１２０に対して与えられる焦点深度を有する高精細画像を可能にする走査レーザベースのピコビーマ（ｐｉｃｏ−ｂｅａｍｅｒ）により構成されることが可能である。
【００１５】
重ねられた光導波路１２０は、連続して外側に投影する一連の周囲画像部分を与えるように備えられている、互いに対して近接して位置付けられている光導波路１２１、１２３、１２７等の複数の光導波路を有することが可能である。ここで用いている用語“重ねられた光導波路”は、本発明に従って備えられる及びここで更に説明する複数の光導波路を包含するように意図されている。
【００１６】
例示として、重ねられた光導波路１２０は、ガラスのような材料が、内部全反射のために、損失のないまっすぐな（スムーズな）面光導波路を有するという原理において動作することが可能である。一実施形態においては、重ねられた光導波路１２０は、ポリメチルメタクリレート材料（ＰＭＭＡ）から形成され、他の上に一が重ねられる複数の導光板として形成されることが可能である。代替の実施形態においては、重ねられた光導波路１２０は、ここで説明する特徴の１つ又はそれ以上を示すガラス又は何れかの他の適切な材料から形成されることが可能である。重ねられた光導波路１２０は、周囲照明源１１０に近接する端部１２５において結合された周囲照明源１１０からの光を有する。一実施形態においては、重ねられた光導波路１２０に対して供給される周囲照明効果は、重ねられた光導波路１２０に結合されることに先行して、周囲光源１１０によりコリメートされることが可能である。
【００１７】
重ねられた光導波路１２０の透過性のために、光は、周囲照明源１１０に近接する端部１２５から、周囲照明源１１０に対して末端にある、重ねられた光導波路１２０の端部に搬送される。端部１２８は、対応する周囲画像部分１４２、１４４、１４６を形成するように、反射面１３０の方に重ねられた光導波路１２０からの光を結合する傾斜部分１２２、１２４、１２６を有する。用語“周囲画像部分”は、ここでは、単独の又は複数の光成分及び／又は合成ピクチャ要素を含んで、生成されることが可能である周囲照明効果を包含するように意図されている。容易に理解できるように、多くの因子が、周囲画像部分１４２，１４４、１４６の表示特性及び生成される合成周囲照明効果に影響する。例えば、傾斜部分１２２、１２４、１２６の角度を変えることは、重ねられた光導波路１２０からの光が結合される（例えば、屈折される）方向に影響を及ぼす。例えば、傾斜部分１２２、１２４、１２６についての角度１２９は、０度よりほんの僅かに大きい角度から、例えば、重ねられた光導波路１２０について選択された材料の屈折率に応じて、約４５°の角度までの範囲内で変えられることが可能である。０°の角度の場合、光は、反射面１３０の方に全く屈折することはなく、実際には、反射面１３０に対して実質的に平行な方向に更に進む。略４５°より大きい角度（また、例えば、材料の屈折率に依存する）はまた、光を屈折しないが、当業者が容易に理解できるように、異なる様式でその光を反射する。反射面１３０から重ねられた光導波路１２０までの距離及び反射面１３０に対する重ねられた光導波路１２０の角度は、合成周囲照明効果の分散及び輝度の両方に影響する。
【００１８】
従って、周囲画像部分１４２、１４４、１４６は、重なっていない別個の光部分として示され、これは、重ねられた光導波路１２０の傾斜部分１２２、１２４、１２６に対する周囲画像部分１４２、１４４、１４６の関係を単に例示として示している。容易に理解できるように、周囲画像部分１４２、１４４、１４６は、周囲画像部分１４２、１４４、１４６を重ね合わせて、分散し、生成する傾向にある。例えば、周囲画像部分１４６は、周囲画像部分１４４の方に分散する傾向にある。更に、周囲画像部分１４４は、周囲画像部分１４２の方に分散する傾向にある。本発明の実施形態に従って、周囲画像部分１４２、１４４、１４６は、周囲画像部分１４２、１４４、１４６間の何れかの重なっていない領域を有しない合成周囲照明効果を生成することが可能である。このように、周囲照明効果は
、周囲画像部分１４６（例えば装置１００に対して最近接のエッジ）から周囲画像部分１４２の外側のエッジまでの連続的な効果であることが可能である。
【００１９】
本発明の実施形態に従って、複数の光導波路の各々は、分離媒体により複数の光導波路の互いから分離されていることが可能である。光導波路の光学的な分離は、光導波路の特定の一に結合された光が、光導波路の隣接面を介して光導波路の他の一に結合されないことを確実にするように支援する。例えば、複数の光導波路の１つ又はそれ以上は、エアギャップにより複数の光導波路の他の１つ又はそれ以上から分離されることが可能である。空気は、ＰＭＭＡプレート等の光導波路が形成される材料に比べて小さい屈折率を有するため、エアギャップは、光導波路のデカップリングを支援する。このように、光導波路の一からの光は、光導波路の他の一からの光と、光導波路内で混合されない。他の実施形態においては、光導波路は、不透明な又は屈折性のペースト等の光学的に分離するペーストを用いることと共に接合されることが可能である。このように、光導波路１２１、１２３及び１２７間の表面は、反射性である等、光学的に分離されている。光導波路を光学的に分離する他のシステムは、本発明に従って、当業者が容易に考えつくことができ、適切に用いられることが可能である。
【００２０】
周囲照明効果の生成を容易にするように、周囲照明源１１０及び重ねられた光導波路１２０は、装置１００の後側に近接して位置付けられている反射性表面１３０に周囲照明画像部分１４２、１４４、１４６が表示されるように、装置１００の後側の方に位置付けられることが可能である。この実施形態又は他の実施形態においては、重ねられた光導波路１２０の端部１２８は、周囲照明効果の生成を容易にするように、装置１００の表縁に沿って位置付けられる及び/又は表縁に一体化されことが可能である。
【００２１】
図２は、本発明の実施形態に従った装置２００の一部の俯瞰図である。装置２００の構成要素を囲むために、典型的に用いることが可能である筐体については、以下の説明を単に簡単化するように図示していない。周囲照明効果の生成を容易にするように、周囲照明源２１０及び重ねられた光導波路２２０、集合的にはライトエンジン２９０は、周囲表示画像部分が装置２１０の後側に近接して位置付けられている反射性表面２３０において表示されるように、装置２００の後側の方に位置付けられることが可能である。装置２００は、例示として、単独の周囲照明源２１０を有するように示されている一方、周囲照明源２１０は、重ねられた光導波路２２０の複数の重ねられた光導波路（導光板）の各々の同じ又は異なる画像部分を与えることが可能である。更なる実施形態においては、周囲照明源２１０は、装置２００の周囲に沿って分散されている周囲照明効果の生成を支援するように、重ねられた光導波路２２０及び１つ又はそれ以上の更なる光導波路（図示せず）に対して光を結合するように備えられることが可能である。例えば、更なる重ねられた光導波路は、装置２００の左側に周囲照明効果を生成するように周囲照明源２１０の、図２に与えられている俯瞰図に対して、左側に位置付けられることが可能である。更なる実施形態においては、装置２００は、装置の１つ又はそれ以上の側面を囲む周囲照明効果を生成するように、別個のライトエンジンとして備えられる複数の周囲照明源及び光導波路を有することが可能である。
【００２２】
図３は、本発明の実施形態に従った複数のライトエンジン３９０の図である。それらの複数のライトエンジン３９０のそれぞれは、例示として、図１に示すような光導波路１２１、１２３及び１２７を有する重ねられた光導波路１２０のような複数の重ねられた光導波路から成るように示されている。一実施形態においては、複数のライトエンジンの各々は、分離媒体により他の複数のライトエンジンの各々から分離されていることが可能である。上記の個別の光導波路の光学的分離のような、ライトエンジンの光学的分離は、重ねられた光導波路の特定の一に結合した光は、重ねられた光導波路の隣接する表面を通して重ねられた光導波路の他の一に結合されないことを確実にするように支援する。例えば、各々のライトエンジンの重ねられた光導波路は、エアギャップにより各々の他の重ねられた光導波路から分離されることが可能である。空気は、ＰＭＭＡプレート等の、重ねられた光導波路が形成されている材料に比べて小さい屈折率を有するため、エアギャップは、重ねられた光導波路のデカップリングを支援する。他の実施形態においては、重ねられた光導波路は、不透明な又は反射性のペーストのような光学的分離を用いて共に接合されることが可能である。重ねられた光導波路を光学的に分離する他のシステムは、本発明に従って、当業者が容易に考えつくことができ、適切に用いられることが可能である。
【００２３】
図４は、本発明の実施形態に従った装置４００の平面図である。図示しているように、装置４００は、周囲画像部分４１０、４１２、４１４及び周囲画像部分４２０、４２２、４２４のような装置４００の右側及び左側における１つ又はそれ以上の周囲画像部分を生成するように動作可能である。本発明に従って、周囲画像部分４１０、４１２、４１４及び周囲画像部分４２０、４２２、４２４は、図３に示すライトエンジンのような、装置４００の光導波路及び１つ又はそれ以上の周囲照明源により生成されることが可能である。周囲画像部分は共に、鉛直方向（例えば、周囲画像部分４１０、４１２、４１４とそれぞれの周囲画像部分４２０、４２２、４２４との間の）及び水平方向（例えば、周囲画像部分４１０、４１２、４１４の間の）の両方において区別されることが可能である画素化された周囲照明効果を与える。用語“区別される”により、周囲照明効果は、必要に応じて、周囲照明効果が一の周囲画像部分から次の周囲画像部分に変わることが可能であることが意図されている。
【００２４】
本発明の実施形態に従った装置４００はまた、周囲光部分４４０、４４２、４４４、４４６、４５０、４５２、４５４及び４５６のような、装置４００の上方及び／又は下方に反射される１つ又はそれ以上の周囲光部分を形成することが可能である。周囲光部分４４０、４４２、４４４、４４６、４５０、４５２、４５４及び４５６は、複数の（単独の）光導波路、即ち、光エンジン１９０のような１つ又はそれ以上の光エンジン、又はＬＥＤ、ライトチューブ等のような複数の別個の光源、又は図示している周囲照明効果を得る他の適切なシステムを用いて形成されることが可能である。容易に理解できるように、多かれ少なかれ画素化された領域は、必要に応じて、本発明に従って形成されることが可能である。明確にするように、本発明に従って、ライトエンジン１９０、ライトエンジン３９０及び光導波路から独立した他の光源のようなライトエンジンは、好ましい合成周囲照明効果を得るように共に結合されることが可能である。一実施形態においては、中心に位置付けされた光源は、複数の重ねられた光導波路３９０に光を結合することにより、装置の周囲の周囲照明効果を与えることが可能である。何れかの場合に、結果として得られた周囲画像部分の各々は、必要に応じて、特定の周囲照明特性を有するように与えられることが可能である。例えば、周囲画像部分４１０、４２０、４３０、４４０、４４２、４４４、４４６、４５０、４５２、４５４、４５６のような、装置４００に近接して位置付けられている周囲画像部分（領域４６０における部分）は、例えば、周囲画像部分４１４、４２４、４３４のような、装置４００からより遠くに位置付けられた周囲画像部分（例えば、領域４７０における部分）に比べてより明るいことが好ましい。反射性周囲画像部分の輝度における差は、異なる光強度にある周囲画像部分を与えることにより達成される。例えば、装置４００に近接して、反射される周囲画像部分は、２００乃至５００ｌｕｘの範囲内の光強度、例えば、３５０ｌｕｘを有するように備えられることが可能である一方、装置４００からより遠い、反射される周囲画像部分は、２０乃至５０ｌｕｘの範囲内の光強度、例えば、３５ｌｕｘを有するように備えられることが可能である。このようにして、反射性周囲画像部分の輝度は、それに対応して変化する。一実施形態においては、１つ又はそれ以上の周囲画像部分の光強度は、重ねられた光導波路が備えられている装置からのレンダリングコンテンツと略同じ強度に調節されることが可能である。例えば、装置４００は、レンダリングコンテンツの強度のような、特定の表示特性を有することが可能であるコンテンツをレンダリングする表示面４０５を備えることが可能である。レンダリングコンテンツの強度を周囲画像部分の強度と適合させることにより、レンダリングコンテンツは装置４００のエッジを越えて広がっているような印象が与えられることが可能である。勿論、異なる比率で周囲画像部分の強度を変えること、反射性周囲画像部分の輝度を同様にすること、及び／又は装置により近い反射性周囲画像部分に比べて、装置から遠い反射性周囲画像部分をより明るくすることを含むように、本発明に従って調整されることが可能である。
【００２５】
ここで説明している例示としての実施形態から明らかであるように、本発明は、従来のシステムにおいて実現されている広い色域を利用可能にする機会を与えることができる。更に、本発明は、従来のシステムにおいて実現されたものに比べてより視覚的にはっきりと理解できる周囲照明の画素を提供する“画素化”周囲照明システムを構築する、洗練された、潜在的可能性の高い、安価な方法を提供することができる。他の有利点及び改善点については、本発明に従って、当業者が容易に考えつくことができ、適切に用いられることが可能である。
【００２６】
図５は、本発明の実施形態に従った、例えば、テレビ等の装置５００を示している。その装置は、メモリ５２０に動作可能であるように結合された処理器５１０と、１つ又はそれ以上のライトエンジン５９０と、表示装置５００の動作のためのユーザ入力装置５７０とを有する。メモリ５２０は、アプリケーションデータ、並びに周囲光スクリプトのような周囲照明データ及び映像／音声データ等の他のデータを記憶する何れかの種類の装置であることが可能である。アプリケーションデータ及び他のデータは、本発明に従った操作段階を実行する処理器５１０を構成する処理器５１０により受け入れられる。それらの操作段階は、表示コンテンツに対して装置５００を制御する段階と、画像コンテンツに関連する及び／又は画像コンテンツに関係しない本発明に従った周囲画像部分を表示するようにライトエンジン５９０を制御する段階とを有する。ユーザ入力装置５７０は、スタンドアロン、若しくはキーボード、マウス、リモコン及び／又はタッチ式感応ディスプレイを含む他の装置を有することが可能である。ユーザ入力装置５７０は、パソコン、携帯情報端末装置、テレビ等の表示装置、ホワイトボード等のシステムの一部であることが可能であり、有線又は無線リンク等の何れかの種類のリンクを介して処理器と通信するように動作する。
【００２７】
本発明の方法は、コンピュータソフトウェアプログラムにより実行されるように特に適合され、そのコンピュータソフトウェアプログラムは、好適には、個々の及び／又は組み合わされたステップ又は段階に対応するモジュールを有する。そのようなソフトウェアは、勿論、集積チップ等のコンピュータ読み取り可能媒体、周辺機器、メモリ５２０等のメモリ、又は処理器５１０に結合している他のメモリにおいて具現化されることが可能である。
【００２８】
メモリ５２０はまた、映像／音声コンテンツのようなレンダリングコンテンツ又はレンダリングに無関係なコンテンツと同期する周囲画像部分を生成する周囲効果スクリプトを記憶することが可能である。メモリ５２０は、それらの方法、操作段階及びここで開示している機能を実行する処理器５１０と構成される。メモリは、分配される又は局部的であることが可能であり、処理器５１０は、付加処理器が備えられることが可能であり、また、例えば、ライトエンジン５９０に基づいて分配される、又は単独であることが可能である。
【００２９】
処理器５１０は、制御信号を供給すること、及び／又は、Ｉ／Ｏ装置５７０からの入力信号に応じた動作を実行し、及びメモリ５２０に記憶されている命令を実行することができる。処理器５１０は、アプリケーションに特定の又は汎用の集積回路であることが可能である。更に、処理器５１０は、本発明に従って実行する専用処理器であることが可能であり、又は本発明に従って実行する多くの機能の単に一を動作させる汎用処理器であることが可能である。処理器５１０は、プログラム部分、複数のプログラムのセグメントを用いるように動作することが可能であり、又は、専用集積回路又は汎用集積回路を用いるハードウェア装置であることが可能である。
【００３０】
勿論、本発明に従って更なる改善を提供するように、上記の実施形態又は処理の何れかの一は、１つの若しくは１つ又はそれ以上の他の実施形態又は処理と組み合わされることが可能である。
【００３１】
最後に、上記説明は、何れかの特定な実施形態又は実施形態の群に対して、同時提出の特許請求の範囲を限定するとして解釈されるべきではなく、本発明の単なる例示として意図されているものである。それ故、本発明は、特定の例示としての実施形態を参照して、上で特に詳細に説明している一方、特許請求の範囲において記載している本発明の広汎に意図された範囲及び主旨から逸脱することなく、当業者が考え出すことができることが理解できる。例えば、反射性表面については、ここでは、上記の説明から明らかであるように、周囲画像部分を反映するために説明されている一方、用語“表面”は、周囲が層部分を反映する、何れかのシステム、手段等を広くカバーするように意図されている。更に、図に示しているものより多い又は少ない光導波路が、重ねられた光導波路として用いられることが可能である。例えば、２つの光導波路が、本発明に従って重ねられることが可能である。他の実施形態においては、所望される多くの光導波路が、外部に延びている対応する周囲画像光部分を与えるように重ねられることが可能である。
【００３２】
重ねられた光導波路を収容する装置は、テレビ、ホワイトボード等の表示装置であることが可能であり、若しくは、単に、装置の少なくともある部分を、又はその装置をまた、収容している装置のある部分を囲む周囲画像部分を与えることを所望される何れかの装置であることが可能である。例えば、重ねられた光導波路を収容する装置は単に、他の装置から距離を置いて備えられる又は他の装置内にまた、囲まれる周囲光モジュールであることが可能である。このようにして、中央が位置決めされた光源は、装置と反射性表面との間の特に限定された、平坦な空間において装置の周囲の周囲照明効果を与えることが可能である。従って、明細書及び図は例示であるとみなされ、同時提出の特許請求の範囲における範囲を制限するように意図されていない。
【００３３】
請求の範囲を解釈するに、次のように理解する必要がる。
ａ）用語“を有する”は、請求項に列挙されている要素又は段階以外の要素又は段階の存在を排除するものではない。
ｂ）要素の単数表現は、その要素の複数の存在を排除するものではない。
ｃ）幾つかの“手段”は、同じアイテム、ハードウェア又はソフトウェアで実行される構成又は機能により表されることが可能である。
ｄ）開示されている要素の何れかは、ハードウェア部分（例えば、ディスクリート回路及び集積回路を有する）、ソフトウェア部分（例えば、コンピュータプログラミング）及び何れかのそれらの組み合わせを折衷することが可能である。
ｅ）ハードウェア部分は、アナログ部分及びディジタル部分の一又はそれらの両方を有することが可能である。
ｆ）開示している装置の何れか又はそれらの一部は、特に他に説明していない場合は、共に組み合わされる又は更なる部分に分離されることが可能である。
ｇ）段階又は要素の特定のシーケンスは、特に説明がない限り、必要であると意図されていない。
【図面の簡単な説明】
【００３４】
【図１】本発明の例示としての実施形態に従った装置の側面図である。
【図２】本発明の実施形態に従った装置の俯瞰図である。
【図３】本発明の実施形態に従った複数のライトエンジンを示す図である。
【図４】本発明の実施形態に従った装置の正面図である。
【図５】本発明の実施形態に従った、例えば、テレビである装置の模式図である。
【図１】
2009520334.tif 000003
【図２】
2009520334.tif 000004
【図３】
2009520334.tif 000005
【図４】
2009520334.tif 000006
【図５】
2009520334.tif 000007
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
周囲画像光源；及び
重ねられた複数の周囲画像化光導波路であって、該周囲画像光導波路は、前記重ねられた複数の周囲画像化光導波路に光を結合するように備えられ、前記重ねられた複数の周囲画像化光導波路は、対応する複数の周囲画像光部分を分離するように備えられている、周囲画像化光導波路；
を有する周囲画像化装置。
【請求項２】
請求項１に記載の周囲画像化装置であって：
前記周囲画像光源に光学的に結合された処理器であって、
コンテンツを分析し、
前記分析されたコンテンツに対して前記光を供給するように、前記周囲画像光源を制御する、
ようになっている、処理器；
を有する、周囲画像化装置。
【請求項３】
請求項１に記載の周囲画像化装置であって：
前記周囲画像光源に光学的に結合された処理器であって、
受け入れられた周囲効果スクリプトを分析し、
前記分析されたコンテンツに対して前記光を供給するように、前記周囲画像光源を制御する、
処理器；
を有する、周囲画像化装置。
【請求項４】
請求項１に記載の周囲画像化装置であって、前記重ねられた複数の周囲画像化光導波路は、前記重ねられた複数の周囲画像化光導波路の一を前記重ねられた複数の周囲画像化光導波路の他の一から光学的に分離する光学分離接合化合物により共に接合されている、周囲画像化装置。
【請求項５】
請求項１に記載の周囲画像化装置であって、前記重ねられた複数の周囲画像化光導波路は、前記重ねられた複数の周囲画像化光導波路の分離された前記複数の周囲画像光部分が、反射性表面から実質的に反射される、対応する複数の周囲画像光部分を与えるように屈折されるように、前記周囲画像光源からの末端である部分における傾斜端部を有する、周囲画像化装置。
【請求項６】
請求項５に記載の周囲画像化装置であって、前記重ねられた複数の周囲画像化光導波路は、前記反射された複数の周囲画像光部分の第１の一が前記反射された複数の周囲画像光部分の第２の一から実質的に外部に広がるように、前記装置から外部に広がる前記反射された複数の周囲画像光部分を与えるように備えられている、周囲画像化装置。
【請求項７】
請求項６に記載の周囲画像化装置であって、前記反射された複数の周囲画像光部分の第２の一は前記反射された複数の周囲画像光部分の第１の一に比べて前記装置により近接して位置していて、前記重ねられた複数の周囲画像化光導波路は、前記反射された複数の周囲画像光部分の第１の一に比べてより明るい前記反射された複数の周囲画像光部分の第２の一を与える、周囲画像化装置。
【請求項８】
請求項１に記載の周囲画像化装置であって、前記重ねられた複数の周囲画像化光導波路は、実質的に前記装置の一部を囲む周囲画像光部分を一緒に与える複数の重ねられた光導波路の一である、周囲画像化装置。
【請求項９】
請求項８に記載の周囲画像化装置であって、前記周囲画像光源は複数の周囲画像光源の一であり、前記複数の周囲画像光源の各々は、前記複数の重ねられた光導波路の対応する一に光を結合する、周囲画像化装置。
【請求項１０】
請求項１に記載の周囲画像化装置であって、前記重ねられた複数の周囲画像化光導波路は、前記装置の実質的に一方側から離れるに従って広がる、一連の３つの周囲画像光部分である、周囲画像化装置。
【請求項１１】
周囲画像光源；及び
重ねられた複数の周囲画像化光導波路であって、該周囲画像光導波路は、前記周囲画像化光導波路に光を結合するように備えられ、前記周囲画像化光導波路は、対応する周囲画像光部分を分離するように備えられている、周囲画像化光導波路；
を有するテレビ。
【請求項１２】
請求項１１に記載のテレビであって、前記周囲画像化光導波路は、前記屈折された周囲画像光部分の第１の一が、前記屈折された周囲画像光部分の第２の一から実質的に外部に広がるように、前記テレビから外部に広がる屈折された周囲画像光部分を与える
ように備えられている、テレビ。
【請求項１３】
請求項１２に記載のテレビであって、前記屈折された周囲画像光部分の第２の一は、前記屈折された周囲画像光部分の第１の一に比べて、前記テレビにより近接して投影され、より高い照明で投影される、テレビ。
【請求項１４】
請求項１１に記載のテレビであって、前記周囲画像化光導波路は、実質的に前記テレビの一部を囲む周囲画像光部分を一緒に与える複数の重ねられた光導波路の一である、テレビ。
【請求項１５】
請求項１４に記載のテレビであって、前記周囲画像光源は複数の周囲画像光源の一であり、前記複数の周囲画像光源の各々は、前記複数の重ねられた光導波路の対応する一に光を結合する、テレビ。
【国際調査報告】
2009520334.tif 000008
2009520334.tif 000009
2009520334.tif 000010